(57)【要約】【課題】香気装置において、個々の人間に一定の香りの印象と一定の音楽の印象と一定の光の印象を与える装置および方法を提供する。【解決手段】ヘッドホンに装着された香気装置を鼻の近傍に配する事で周囲への不要な匂いの拡散を防止できる。精油などの匂い物質をカートリッジに入れ、カートリッジを交換することにより、香りの印象を簡単に変えることが可能となる。また、香気装置に配接された赤色、緑色、青色が包括された発光ダイオードライトにはライトセラピー効果、覚醒作用がある。【選択図】  図１
2006000576.tif 000002
【特許請求の範囲】
【請求項１】
ヘッドホンに装着された香気装置であり被体験者の鼻の近傍空間にて精油などの匂い物質を揮散させる事を特徴とする香気装置。
【請求項２】
香気装置本体の上方にカートリッジを昇温させるヒータを配接し、且つ、前記ヒータに通電する電極を設け、更に、前記カートリッジの下方に熱伝導性の良いプレートを配接し、前記ヒータ及び電極を前記プレート面に接触させることにより、前記カートリッジを昇温させることを特徴とする香気装置。
【請求項３】
カートリッジ内に吸収力のある材料を具備し、前記材料には揮発性のある匂い物質、たとえば精油などを滲入させている。前記材料に滲入させている匂い物質は、前記カートリッジの下方に配接されているプレートが昇温されることにより揮散することを特徴とする香気装置。
【請求項４】
カートリッジと香気装置が容易に着脱可能な機構を具備することを特徴とする香気装置。
【請求項５】
赤色、緑色、青色、黄色、橙色、白色などの光を発生する赤色、緑色、青色の発光ダイオードランプを包括した発光ダイオードランプを配接している香気装置。
【請求項６】
前記発光ダイオードランプはライトセラピー効果、覚醒作用を促す照度、波長の光、或いは点灯、消灯、遷移点灯間隔（１／ｆゆらぎ）を制御するマイコンを配接していることを特徴とする香気装置。
【請求項７】
可倒式アームまたはフレキシブルアームにて、被体験者顔面（鼻の近傍）に煩雑感を与えないよう、香気装置本体を未使用時、上部に移動可能な機構を具備することを特徴とする香気装置。
【請求項８】
トルマリン、珪藻土または放射性物質などの物質を含有するプラスチック、シリコーンゴムなどの素材を採用し、成型された香気装置本体及び、カートリッジからマイナスイオン発生機能を具備することを特徴とする香気装置。
【発明の詳細な説明】
【技術分野】
【０００１】本発明は、発光ダイオードライトを配接した香気装置を、被体験者の鼻の近傍に設置し、匂いを体験できる装置において、音楽を聴きながらアロマテラピー効果と、ライトセラピー効果を得る事ができるヘッドホン型香気装置に関する。
【背景技術】
【０００２】従来の香気装置は被体験者の鼻から離れた場所において匂いの濃度を調節するか、或いは被体験者の鼻の近傍において、匂い物質を含む空気を吐出する機構であった。【０００３】香気装置の機構は匂い濃度を増減するか、匂い物質を含む空気の吐出の量を増減するのみであった。同時に音楽を聴く機構や、発光ダイオードライトなどを具備した機構の香気装置はなかった。
【発明の開示】
【発明が解決しようとする課題】
【０００４】本発明は、従来のヘッドホンに発光ダイオードライトを配接した香気装置を具備し、被体験者の鼻の近傍に設置することにより、周囲への過剰な匂い物質の拡散を防止し、容易に屋外での使用を可能とした。また、音楽を聴きながら、発光ダイオードライトによるライトセラピー効果も具備する香気方法、および香気装置を提供することにある。
【課題を解決するための手段】
【０００５】本発明の香気装置は、被体験者の鼻の近傍にてカートリッジ内に収容されている揮発性のある匂い物質を加熱することにより揮散させる装置である。また、カートリッジ内に収容されている揮発性のある匂い物質は吸収力のある材料に滲入させているので、液漏れの心配もない。使用時は好みの匂いのカートリッジを交換するだけでよい。また、従来の機能を具備するヘッドホンに装着することで、音楽を聴くこともできる。ライトセラピー効果、覚醒作用を得るために発光ダイオードランプが配接されており、光の照度、波長をマイコンにより制御されている。
【発明の効果】
【０００６】本発明は以上のように構成することにより、手軽に、音楽を聴きながら、アロマテラピー効果と、ライトセラピー効果による癒し効果を与える事ができる為、被体験者に心身共のリフレッシュ感を提供できる。
【発明を実施するための最良の形態】
【０００７】図１は被体験者を含む本発明の実施形態を示す。ヘッドホン型カートリッジ交換式香気装置１は、鼻の近傍に香気装置本体６を配置するため、アーム２はフレキシブルに可倒、曲折することができる。香気装置本体６にはライトセラピー効果に用いる発光ダイオードランプ５が配接されているので、鼻の近傍に配置する場合、鼻によって発光ダイオードランプ５が視界から妨げられないように配置するのが望ましい。【０００８】図２は、カートリッジ３と、香気装置本体６の構成図を示す。カートリッジ３には吸収力のある素材７が内接されており、液状の匂い物質が漏出するのを防ぐ機能も具備している。素材７には揮発性のある液状の匂い物質、たとえば精油などが潜入されている。カートリッジ３は容易に香気装置本体６から着脱することができ、好みの匂いのカートリッジに交換できる。【０００９】香気装置本体６は、上方にカートリッジ３を昇温させるヒータ４と、発光ダイオードランプ５を配接している。ヒータ４はマイコンによって温度制御されている。【００１０】図３はカートリッジ３と香気装置本体６を装着した場合の側面断面図を示す。カートリッジ３の下部には熱伝導性の良いプレート８を配接している。マイコンによって昇温（摂氏３６度から摂氏７０度）されたヒータ４の熱が、プレート８に伝わり、カートリッジ３内の匂い物質が揮発され匂いが揮散する。【００１１】図４は、カートリッジ３と、香気装置本体６の正面断面図を示す。カートリッジ３と、香気装置本体６との固定方法は、香気装置本体６の突起Ａとカートリッジ３の受け孔Ｂが嵌合し、結合固定される。【００１２】香気装置本体６に配接されている発光ダイオードランプ５は赤色、緑色、青色の発光ダイオードランプを包括している。発光ダイオードランプ５は、色（青・緑・赤）が持つ固有の波長による癒し効果を期待したものであり、青色４６８（誤差±１０）ｎｍ、緑色５２５（誤差±１０）ｎｍ、赤色６６０（誤差±１０）ｎｍが１つにパッケージングされている。【００１３】図５はマイコン及び、制御回路図である。【００１４】図６は、マイコンにて制御する発光ダイオードランプ５の制御プログラムの流れ図を示している。「１／ｆゆらぎ」モード、レベルメータモード、両ＯＦＦモードの機能から、１つを選択することが出来る。【００１５】「１／ｆゆらぎ」の癒しモードは、色の遷移点灯間隔（青・緑・赤）が機械的な単調なリズムでは、「１／ｆゆらぎ」のリズムで生活している人体と不調和を起こし、被体験者に不快感を与えてしまう。そこで、色の遷移点灯間隔に、人体と同リズムの「１／ｆゆらぎ」の制御を加える事で、視覚より「１／ｆゆらぎ」の刺激を与えることができるモード。【００１６】レベルメーターモードは、演奏中の音楽の音量の高低に合わせて遷移点灯間隔（青・緑・赤）が変化したり、遷移点灯間隔は一定だが、発光ダイオードランプ５の輝度が音楽の音量の高低に合わせて、明るくなったり淡くなったりする事で、一定のリズムではない不規則感の演出を行う事で「１／ｆゆらぎ」に似た刺激を与えるモード。【００１７】香気装置本体６および、カートリッジ３の成型に含有させたトルマリン、珪藻土または放射性物質などの物質のマイナスイオン励起方法は、前記物質が外部から圧力や摩擦、熱などが結晶に加わる事でマイナスイオンを励起する事から、ヒータ４の熱や、被体験者の頭部の動作（首を傾げる、首を回すなど）による遠心力、発光ダイオードランプ５の駆動電流などを利用する。
【図面の簡単な説明】
【００１８】
【図１】本発明の一実施形態を示す正面図である。
【図２】カートリッジ３と、香気装置本体６の構成図を示す斜視図である。
【図３】カートリッジ３と、香気装置本体６の側面断面図である。
【図４】カートリッジ３と、香気装置本体６の正面断面図である。
【図５】マイコン及び、制御回路である。
【図６】プログラム。
【符号の説明】
【００１９】１  ヘッドホン型カートリッジ交換式香気装置
２  アーム
３  カートリッジ
４  ヒータ
５  発光ダイオードランプ
６  香気装置本体
７  素材
８  プレート
Ａ  突起嵌合部
Ｂ  受け孔
【図１】
2006000576.tif 000003
【図２】
2006000576.tif 000004
【図３】
2006000576.tif 000005
【図４】
2006000576.tif 000006
【図５】
2006000576.tif 000007
【図６】
2006000576.tif 000008